(57)【特許請求の範囲】
【請求項１】
筐体の後部を回動中心として開閉自在な蓋体に設けられる蓋開閉装置であって、
前記筐体の側部に前後方向に形成されたガイド溝内に摺動自在かつ回動自在に遊嵌される支軸、および前記蓋体における前記筐体の側部と同一方向の側部に固設されたガイドピンが摺動自在かつ回動自在に遊嵌される長孔状の案内溝を有する可動レバーと、
前記可動レバーを後方に向けて付勢するために、一端が前記可動レバーに突設した掛止突部に掛止され他端が前記筐体の側部に突設された掛止ピンに掛止されるように前記筐体内に設けられる引張スプリングと、
前記筐体内に設けられ、閉蓋状態にて前記引張スプリングの引張力で後方位置に移動した前記可動レバーに形成された係止部に当接して、前記可動レバーの開蓋方向への回動を阻止するロック用突起と、
前記筐体の側部に前後方向に移動自在に設けられ、かつ、外部から操作可能で、前記可動レバーに形成された掛止部に当接して前記可動レバーを前記引張スプリングの引張力に抗して押し移動させ、前記係止部と前記ロック用突起との当接状態を解除する解除つまみと、を具備し、
閉蓋状態から開蓋状態への移行時に、前記掛止突部が前記掛止ピンの中心点と前記支軸の中心点とを結ぶ中立軸の下方から上方に移動するとともに、前記蓋体の開放状態において前記ガイドピンが前記案内溝の端部に形成されたラッチ凹部に嵌合することを特徴とする蓋開閉装置。
【請求項２】
前記引張スプリングは、閉蓋時に、前記可動レバーを介して、前記解除つまみを前記筐体の後部側に付勢することを特徴とする請求項１に記載の蓋開閉装置。
【発明の詳細な説明】
【０００１】
【発明の属する技術分野】
本発明は、ポータブル機器等の蓋開閉機構に関する。
【０００２】
【従来の技術】
ポータブル機器等の蓋を開閉するための蓋開閉装置は、従来、例えば、図７に示すように構成されていた。図７にて、７１は蓋本体、７２はキャビネット本体で、蓋本体７１の基部側が、キャビネット本体７２の基部側に設けた支点７３，７３を軸として回動可能に支持され、かつ、蓋本体７１の開閉端側となる前面には、ロック用の爪７４が固定状態に形成されている。
【０００３】
キャビネット本体７２の前面内側には、蓋本体７１の爪７４に係止するロックレバー７５が、矢印Ｆ方向にスライド可能に設けられ、かつ、ロックスプリング７６によって、そのロックレバー７５がロック位置に向けて付勢され、かつ、キャビネット本体７２の前面外側には、ロックレバー７５と一体の解除つまみ７７が（矢印Ｆ方向にスライド可能に）設けられている。
【０００４】
一方、蓋本体７１の前側部内側に突設された支持ピン７８には、可動レバー８０の基部が枢支され、その可動レバー８０の先端側が、キャビネット本体７２に設けられたイジェクトスプリング８１によってキャビネット本体７２の前面側に向けて付勢され、かつ、その可動レバー８０に先端側に固定された摺動子８２が、キャビネット本体７２の側面に開設されたガイド溝７９に遊嵌され、この可動レバー８０によって、蓋本体７１が開方向に付勢されている。
【０００５】
このように構成される蓋開閉装置では、蓋本体７１を閉じる時には、蓋本体７１を押し下げて、ロック用の爪７４を、ロックレバー７５の斜面部７５ａに押しつけることにより、そのロックレバー７５を、スプリング７６の付勢力に抗して一旦図示右方向にスライドさせた後、ロックスプリング７６の付勢力で、そのロックレバー７５を爪７４に係止させて閉蓋状態にロックする。
【０００６】
一方、蓋本体７１を開けるときには、解除つまみ７７を、図示右方向にスライドさせることにより（ロックレバー７５を同方向にスライド移動させ）、ロック用の爪７４に対するロックレバー７５のロックを解除すれば、可動レバー８０を介して、イジェクトスプリング８１の引張力によって、蓋本体７１が押し上げられ、開蓋状態となる。
【０００７】
【発明が解決しようとする課題】
しかしながら、上述の従来の装置では、蓋本体７１を閉じる際に、ロック用の爪７４によって、ロックレバー７５の斜面部７５ａを押すことにより、そのロックレバー７５をスライドさせねばならないが、その時点では、イジェクトスプリング８１の引張力によって、蓋本体７１が開方向に付勢されている。
【０００８】
そのため、蓋本体７１を閉じる時には、かなりの抵抗があり、しかも、十分に押さえ込まないと、確実に、ロックすることが困難であった。また、蓋本体７１を開ける時には、イジェクトスプリング８１の引張力によって、蓋本体７１が開方向に付勢されているため、ロック用の爪７４に対して、ロックレバー７５が緊密に係止しており、解除つまみ７７によって、ロックレバー７５を解除方向にスライドさせる時には、かなりの抵抗があるという問題、つまり、蓋の開閉操作が容易でないという難点があった。更に、蓋本体７１をロックした状態でも、イジェクトスプリング８１による上方への付勢によって、蓋本体７１が浮き上がり、変形が発生するという問題もあった。
【０００９】
本発明は、このような実情に鑑みてなされ、蓋の開閉操作が容易で、ロック状態での蓋の浮き上がりや変形のない蓋開閉装置を提供することを目的とする。
【００１０】
【課題を解決するための手段】
本発明は、上述の課題を達成するための手段を以下のように構成している。
【００１１】
（１）筐体の後部を回動中心として開閉自在な蓋体に設けられる蓋開閉装置であって、
前記筐体の側部に前後方向に形成されたガイド溝内に摺動自在かつ回動自在に遊嵌される支軸、および前記蓋体における前記筐体の側部と同一方向の側部に固設されたガイドピンが摺動自在かつ回動自在に遊嵌される長孔状の案内溝を有する可動レバーと、
前記可動レバーを後方に向けて付勢するために、一端が前記可動レバーに突設した掛止突部に掛止され他端が前記筐体の側部に突設された掛止ピンに掛止されるように前記筐体内に設けられる引張スプリングと、
前記筐体内に設けられ、閉蓋状態にて前記引張スプリングの引張力で後方位置に移動した前記可動レバーに形成された係止部に当接して、前記可動レバーの開蓋方向への回動を阻止するロック用突起と、
前記筐体の側部に前後方向に移動自在に設けられ、かつ、外部から操作可能で、前記可動レバーに形成された掛止部に当接して前記可動レバーを前記引張スプリングの引張力に抗して押し移動させ、前記係止部と前記ロック用突起との当接状態を解除する解除つまみと、を具備し、
閉蓋状態から開蓋状態への移行時に、前記掛止突部が前記掛止ピンの中心点と前記支軸の中心点とを結ぶ中立軸の下方から上方に移動するとともに、前記蓋体の開放状態において前記ガイドピンが前記案内溝の端部に形成されたラッチ凹部に嵌合することを特徴とする。
【００１２】
このような構成により、蓋体を閉じると、引張スプリングの引張力で可動レバーが後方位置に移動し、可動レバーの係止部が、筐体内に設けられたロック用突起に当接して、蓋体が閉蓋状態でロックされる。
【００１３】
一方、このようなロック状態が形成されている時に、解除つまみを前方に押し移動させると、可動レバーが、引張スプリングの引張力に抗して前方に押し移動され、係止部がロック用突起から離脱して、蓋体のロック状態が解除され、蓋体が開かれる。
【００１４】
（２）前記引張スプリングは、閉蓋時に、前記可動レバーを介して、前記解除つまみを前記筐体の後部側に付勢することを特徴とする。
【００１５】
このような構成により、引張スプリングの引張力によって閉蓋時のロック状態が半ば強制的に達成されるため、ロック状態を形成するために蓋体に外部から荷重を加える必要がなくなる。
【００１６】
【発明の実施の形態】
図１乃至図６は、本発明の実施形態に係る蓋開閉装置を示し、これらの図にて、１は上方開放の筐体状に形成されたキャビネット本体（筐体）、２は開閉自在な蓋体で、キャビネット本体１の後端両側部に突設された支点３，３に回動自在に枢支され、かつ、ロック可能に構成される。
【００１７】
キャビネット本体１と蓋体２の前側部内には、可動レバー４が設けられ、その可動レバー４に突設された支軸５が、キャビネット本体１の前側部に、前後方向の短孔状に形成されたガイド溝６内に、摺動自在かつ回動自在に遊嵌され、かつ、その可動レバー４に突設した掛止突部７に一端を掛止された引張スプリング８の他端が、キャビネット本体１の前側部に突設された掛止ピン９に掛止され、可動レバー４が後方に向けて付勢されている。
【００１８】
その可動レバー４に長孔状に形成された案内溝１０内には、蓋体２の前側部に突設されたガイドピン１１が摺動自在かつ回動自在に遊嵌し、かつ、可動レバー４に形成された係止部１２に当接対応して可動レバー４の時計回り（開蓋方向へ）の回動を阻止するためのロック用突起１３が、キャビネット本体１の前側部に突設されている。
【００１９】
他方、キャビネット本体１の前側部には、可動レバー４のロック状態を解除するための解除つまみ１４が、前後方向に移動自在かつ外部から操作可能に設けられている。その解除つまみ１４には、可動レバー４に形成された掛止部１５に当接対応する摺動子１６が内方に向けて突設され、その摺動子１６が、キャビネット本体１の前側部下部に形成された前後方向の長孔１７内に遊嵌されている。
【００２０】
このような構成により、図２に示すように、可動レバー４が後方位置にあり、その可動レバー４の係止部１２が、キャビネット本体１のロック用突起１３に当接してロック状態が形成されている時に、解除つまみ１４を前方に押し移動させると、摺動子１６が、可動レバー４の掛止部１５に当接して、その可動レバー４を、引張スプリング８の引張力に抗して前方に押し移動させ、図３に示すように、係止部１２がロック用突起１３から離脱し、ロック状態が解除される。
【００２１】
さらに詳細に説明すると、図２に示すロック状態では、（引張スプリング８の引張力が作用する）可動レバー４の掛止突部７の位置が、キャビネット本体１の掛止ピン９と、可動レバー４の支軸５の各中心点を結ぶ中立軸Ｎよりも、下方にあるため、可動レバー４は、引張スプリング８によって、反時計回りの回転モーメントが与えられ、かつ、可動レバー４の係止部１２が、キャビネット本体１のロック用突起１３に当接しているため、可動レバー４の時計回りの回動が阻止されている。
【００２２】
従って、蓋体２は、可動レバー４の案内溝１０内に遊嵌されたガイドピン１１によって、閉蓋状態にロックされており、しかも、その可動レバー４の支軸５の近傍部位の端縁に形成された切欠部１８が、キャビネット本体１に突設された固定ピン１９に付勢状態で嵌合しているため、そのロック状態は、きわめて安定に保持されている。
【００２３】
このようなロック状態にて、解除つまみ１４を前方に押し移動させると、可動レバー４の掛止部１５と当接している摺動子１６によって、可動レバー４が前方に移動される。これにより、可動レバー４の係止部１２が、キャビネット本体１のロック用突起１３から離脱すると共に、その切欠部１８も、キャビネット本体１の固定ピン１９から離脱し、ロック状態が完全に解除される。
【００２４】
さらに、解除つまみ１４を前方に押し移動させると、図４に示すように、可動レバー４は、時計回りに回動し、引張力が作用している掛止突部７の位置が、中立軸Ｎよりも上方の位置に移動する。これにより、引張スプリング８の引張力で、可動レバー４には、時計回りの回転モーメントが付与され、さらに、時計回りに回動し、ガイドピン１１を介して、図５に示すように、蓋体２を開いた状態とする。
【００２５】
このような開放状態では、キャビネット本体１の固定ピン１９に、可動レバー４のガイド孔２０が嵌まり、かつ、可動レバー４の係止端２１が、ロック用突起１３に当接係止し、可動レバー４の時計回りの回動が阻止され、蓋体２の開き角度が決定され、かつ、引張スプリング８の引張力によってその蓋体２の開放状態が保持されるが、さらに、その引張スプリング８の引張力によって、可動レバー４が後方に（矢印Ｆ方向に）引っ張られて、蓋体２のガイドピン１１と、キャビネット本体１の固定ピン１９とが、それぞれ、案内溝１０とガイド孔２０内にラッチされ、蓋体２が開いた状態でのロック感を得ることができる。
【００２６】
なお、その案内溝１０とガイド孔２０の端部には、それぞれ、図５及び図６の状態にて前方に向けたラッチ凹部１０１，２０１が形成され（図２、図３、図４参照）、そのラッチ凹部１０１，２０１内に、ガイドピン１１と固定ピン１９とを嵌合させて、上述のラッチ状態を形成できるようにしている。
【００２７】
この開放状態から、蓋体２を閉じるには、蓋体２を、図３に示す状態程度まで、つまり、可動レバー４の掛止突部７が、中立軸Ｎよりも下方の位置に移動するまで、押さえ込めば、引張スプリング８によって、可動レバー４には、反時計回りの回転モーメントが作用し、可動レバー４の円弧状の端面２２が、キャビネット本体１の固定ピン１９から外れて、その支軸５が、キャビネット本体１の案内溝１０内を後方に移動して、図２に示すロック状態が形成される。
【００２８】
このようなロック状態では、可動レバー４は、引張スプリング８によって、蓋体２が閉じ方向に付勢されているので、蓋体２の浮き上がりや、変形が発生するおそれもない。しかも、上述のように、そのロック状態の形成は、引張スプリング８の引張力で、半ば、強制的に達成されるため、特に、蓋体２に外部から荷重を加える必要がなく、閉蓋操作がきわめて容易である。
【００２９】
【発明の効果】
本発明は、以上のように構成されるので、以下のような効果を奏する。
【００３０】
請求項１によれば、蓋体を閉じれば、引張スプリングの引張力で可動レバーが後方位置に移動し、可動レバーの係止部が、筐体内に設けられたロック用突起に当接して、蓋体が閉蓋状態でロックされる。
【００３１】
このようなロック状態にて、解除つまみを前方に押し移動させると、可動レバーが、引張スプリングの引張力に抗して前方に押し移動され、係止部がロック用突起から離脱して、蓋体のロック状態が解除され、蓋体が開かれる。
【００３２】
従って、蓋体の開閉操作が容易となる。
【００３３】
請求項２によれば、引張スプリングの引張力によって閉蓋時のロック状態を半ば強制的に達成できるため、ロック状態を形成するために蓋体に外部から荷重を加えることを不要にできる。
【図面の簡単な説明】
【図１】本発明の実施形態に係る蓋開閉装置の一部破断・一部拡大斜視図である。
【図２】同閉蓋時にロックされた状態の縦断側面図である。
【図３】同閉蓋時にロックが解除された状態の縦断側面図である。
【図４】同開蓋された時の縦断側面図である。
【図５】同限度まで開蓋された状態の縦断側面図である。
【図６】同開蓋状態でロックされた状態の縦断側面図である。
【図７】従来の蓋開閉装置の一例を示す一部破断斜視図である。
【符号の説明】
１−筐体
２−蓋体
４−可動レバー
５−支軸
６−ガイド溝
８−引張スプリング
１０−案内溝
１１−ガイドピン
１２−係止部
１３−ロック用突起
１４−解除つまみ
【図１】
0003568880.tif 000002
【図２】
0003568880.tif 000003
【図３】
0003568880.tif 000004
【図４】
0003568880.tif 000005
【図５】
0003568880.tif 000006
【図６】
0003568880.tif 000007
【図７】
0003568880.tif 000008